(57)【特許請求の範囲】
【請求項１】
建物内で屈曲又は交差する通路（１）の凸側の側壁角部（２ａ）に、上下方向に延びる保護ローラー（５）を上下軸心を中心として回転可能に設けるとともに、該保護ローラー（５）を前記側壁角部（２ａ）から外方に突出させ、前記保護ローラー（５）の回転を抑制する抵抗体（１９）を設けたことを特徴とする建物内通路の角部保護装置。
【請求項２】
保護ローラー（５）は、上下端がブラケット（７，８）により回転自在に支持された複数のローラーユニット（５−１，５−２）を上下に直列に配列してなることを特徴とする請求項１記載の建物内通路の角部保護装置。
【発明の詳細な説明】
【技術分野】
【０００１】
本発明は、建物内通路の凸側の側壁角部にストレッチャー、台車等の運搬車が接触した際に、両者に発生する衝撃を軽減する建物内通路の角部保護装置に関するものである。
【背景技術】
【０００２】
従来の技術として、建物内通路の凸側の側壁角部に断面Ｌ形状のコーナーカバーを取り付け、該コーナーカバーにより前記側壁角部を障害物から保護するようにしたものがあった。
【０００３】
前記従来のものは、コーナーカバーが取着具、あるいは接着剤等により建物の凸側の側壁角部に一体的に固着されていたので、ストレッチャー、運搬車等の運搬車がコーナーカバーに接触すると、両者に大きな衝撃が発生し、両者の接触部が損傷したり、運搬車に搭載した患者、部品等への衝撃が大きくなるものであっつた。
【特許文献１】特開平７−２９２９５１号公報
【発明の開示】
【発明が解決しようとする課題】
【０００４】
本発明は、建物内通路の凸側の側壁角部を保護するとともに、運搬車が衝突した際の衝撃を緩和することができる新規な建物内通路の角部保護装置を得ることを目的とする。
【課題を解決するための手段】
【０００５】
本発明は、上記目的を達成するために以下の如く構成したものである。即ち、請求項１に係る発明は、建物内で屈曲又は交差する通路の凸側の側壁角部に、上下方向に延びる保護ローラーを上下軸心を中心として回転可能に設けるとともに、該保護ローラーを前記側壁角部から外方に突出させ、前記保護ローラーの回転を抑制する抵抗体を設ける構成にしたものである。また、請求項２に係る発明は、上下端がブラケットにより回転自在に支持された複数のローラーユニットを上下に直列に配列して前記通路の凸側の側壁角部に取り付けるようにしたものである。
【発明の効果】
【０００６】
本発明の請求項１に係る発明は、運搬車が建物内通路の凸側の側壁角部を曲がる際に、該運搬車が保護ローラーに接触すると、該保護ローラーが運搬車の接触部によって回転されることになる。これにより、運搬車は急激に停止されることなく保護ローラーに接触しながら通路を曲がることになる。また、前記保護ローラーの回転が抵抗体によって抑制されているので、運搬車が保護ローラーから離れると、該保護ローラーの回転が迅速に停止し、安全性が高くなる。請求項２に係る発明は、上下に配列された各ローラーの上下端がブラケットにより回転自在に支持されているので、ローラーの支持強度が高くなり、大きな負荷に耐えるとともに、ローラーの数を設定することによって前記側壁角部の長さ（高さ）に容易に対応させることができる。
【発明を実施するための最良の形態】
【０００７】
以下本発明の実施例を図面に基づいて説明する。図において、図１は本発明の第１実施例を示す斜視図、図２は保護ローラー部の断面図、図３は図２のＡ部の一部断面平面図、図４は図２のIV-IV断面図、図５は図２のＢ部拡大図、図６は本発明の第２実施例を示す斜視図、図７は図６の平面図である。
【０００８】
図１において、１は病院、介護施設等の建物内に形成された通路、２は通路１の曲がり角部に設置された受け付け、あるいは案内用のカウンターであり、該カウンター２の凸側の側壁角部２ａに保護ローラー５を取り付ける。該保護ローラー５は前記側壁角部２ａの略上下全域に亘たって取り付けられるもので、図２〜図５に示すようになっている。
【０００９】
図２〜図５において、５は保護ローラー５であり、図３、図４に示すように、前記側壁角部２ａに位置する化粧側壁３の角部を除去してここに空隙部を形成し、該空隙部に嵌合させ、保護ローラー５の一側部を外方に突出させて取り付ける。即ち、空隙部によって露出した側壁角部２ａのフレーム２ｂに平面視Ｌ形のベース４をボルト締め固定し、該ベース４の背面側に２個のローラーユニット５−１、５−２を上下に配列して固定する。各ローラーユニット５−１、５−２は略同構造からなり、このうち、上段側のローラーユニット５−１を代表して説明する。
【００１０】
上段側のローラーユニット５−１は、前記ベース４の背面側に平面視Ｌ形の取付板６（６ａ）を重ねてボルト締め固定し、該取付板６の上下端部にブラケット７，８（７ａ，８ａ）を取り付け、該ブラケット７，８にベアリング９，１０（９ａ，１０ａ）を介してローラー１１（１１ａ）を回転自在に取り付けるとともに、該ローラー１１の１側部を前記化粧側壁３から外部に露出させる。また、前記ローラー１１の軸心部に心軸１２（１２ａ）を同軸に嵌合させ、その上下両端部を上下のベアリング９，１０（９ａ，１０ａ）のインナーレース（符号省略）に嵌合させる。
【００１１】
この場合、上下段のローラーユニット５−１、５−２の心軸１２（１２ａ，１２ｂ）は互いにネジ連結し、下段側の心軸１２ｂは、図５に示すように、下部側のブラケット８ｂから下方に突出させ、該突出部に雄ねじ１３を形成し、スペーサー１５を介して通路１の床面に固定される下部ベース１４にねじ込み固定する。また、上段側のローラーユニット５−１の上部ブラケット７ａは図３に示すように、天板７ｃを有する化粧用のブラケットとする。
【００１２】
前記上下段のローラー１１ａ，１１ｂの両側は、図４に示すように、ベース４に固定した左右一対のサイドカバー１７，１７により包囲し、その突出縁部１７ａ，１７ａを帯状に折り曲げ、該突出縁部１７ａ，１７ａによりローラー１１ａとカウンター２の化粧側壁３との間隙部を閉塞する。
【００１３】
前記ローラー１１ａ，１１ｂの下部を支持するブラケット８ａ，８ｂと、これらに対面面するベアリング１０ａ，１０ｂとの間に、Ｏリングからなる抵抗体１９（図５）を圧接して介装し、該抵抗体１９により前記ローラー１１ａ，１１ｂに回転抵抗を付与し、該ローラー１１ａ，１１ｂの不用意な回転を抑制する。
【００１４】
前記実施例によれば、図１の仮想線で示すように、ストレッチャー、台車等の運搬車２０が建物内通路１の凸側の側壁角部２ａを曲がる際に、該運搬車２０が保護ローラー５、即ち、ローラー１１（１１ａ，１１ｂ）に接触すると、該ローラー１１が運搬車２０の接触部によって回転され、前記運搬車２０は急激に停止することなくローラー１１に接触しながら前記通路１を曲がることになる。このため、両者の接触部が損傷しなくなるとともに、運搬車２０に搭載した患者、部品等への衝撃が少なくなる。
【００１５】
また、ローラー１１の上下端がブラケット７，８により回転自在に支持される複数のローラーユニット５−１、５−２を上下に配列して前記側壁角部２ａに取り付けるようにしたので、ローラー１１の支持強度が高くなり、各ローラ１１の径を小さくして小型にしても、各ローラ１１は大きな負荷に耐えることになる。また、前記ローラーユニット５−１、５−２の上下の配列数を選択することによって前記側壁角部２ａの長さ（高さ）に容易に対応させることができる。また、前記ローラー１１は、抵抗体１９によって回転が抑制されているので、運搬車２０がローラー１１から離れると、該ローラー１１の回転が迅速に停止し、安全性が高くなる。
【００１６】
図６、図７は第２実施例を示す。このものは、通行方向が例えば左側通行になっている際に、保護ローラー５を側壁角部２ａの左側（一方）の面２ａ−１に取り付けたものである。なお、建物内に形成された通路１の凸側の曲がり角が建物の壁、あるいは柱によって形成されている際には、前記保護ローラー５をこれらの角部に取り付けるようにする。
【図面の簡単な説明】
【００１７】
【図１】本発明の第１実施例を示す斜視図である。
【図２】保護ローラー部の断面図である。
【図３】図２のＡ部の一部断面平面図である。
【図４】図２のIV-IV断面図である。
【図５】図２のＢ部拡大図である。
【図６】本発明の第２実施例を示す斜視図である。
【図７】図６の平面図である。
【符号の説明】
【００１８】
１    通路
２    カウンター
２ａ  側壁角部
３    化粧側壁
４    ベース
５    保護ローラー
５−１，５−２  ローラーユニット
６（６ａ，６ｂ）    取付板
７，８    ブラケット
９，１０  ベアリング
１１   ローラー
１２    心軸
１３    雄ねじ
１４    下部ベース
１５    スペーサー
１７、１８    サイドカバー
１９    抵抗体
２０    運搬車
【図１】
0004603483.tif 000002
【図２】
0004603483.tif 000003
【図３】
0004603483.tif 000004
【図４】
0004603483.tif 000005
【図５】
0004603483.tif 000006
【図６】
0004603483.tif 000007
【図７】
0004603483.tif 000008